(57)【要約】MACスケジューラなどの上位レイヤの機能と、無線物理レイヤの機能とが分離して実装された場合でも、ユーザ装置に対する適切な無線リソースの割り当てを実現し得る無線基地局、張出装置及び通信制御方法を提供する。本発明に係る通信制御方法は、張出装置260と中央集約装置210とを含み、ユーザ装置300と無線通信を実行する無線基地局200において実行される。当該通信方法は、張出装置260が、ユーザ装置300が取得した下りリンクにおける無線通信品質を示す下りリンク品質情報を所定の上りリンクチャネルを介して取得するステップと、張出装置260が、取得した一または複数の下りリンク品質情報を含む品質データ系列を中央集約装置210に送信するステップと、中央集約装置210が、品質データ系列に基づいて、ユーザ装置300に対する無線リソースの割り当てを実行するステップとを含む。
2017163785.tif 000002
【特許請求の範囲】
【請求項１】
張出装置と中央集約装置とを含み、ユーザ装置と無線通信を実行する無線基地局であって、
前記張出装置は、
前記ユーザ装置が取得した下りリンクにおける無線通信品質を示す下りリンク品質情報を所定の上りリンクチャネルを介して取得する品質情報取得部と、
前記品質情報取得部によって取得された一または複数の前記下りリンク品質情報を含む品質データ系列を前記中央集約装置に送信する品質情報送信部と
を備え、
前記中央集約装置は、
前記品質データ系列を受信する情報受信部と、
前記情報受信部が受信した前記品質データ系列に基づいて、前記ユーザ装置に対する無線リソースの割り当てを実行する無線リソース割当部と
を備える無線基地局。
【請求項２】
前記品質情報送信部は、前記ユーザ装置を識別するユーザ装置識別子、及び前記下りリンク品質情報を含む前記品質データ系列を送信する請求項１に記載の無線基地局。
【請求項３】
前記品質情報送信部は、前記ユーザ装置が前記下りリンク品質情報を送信した前記上りリンクチャネルにおける位置を示すチャネル位置を含む前記品質データ系列を送信する請求項２に記載の無線基地局。
【請求項４】
前記中央集約装置は、前記ユーザ装置が前記下りリンク品質情報を送信する期間を計測するタイマの作動状態を監視するタイマ監視部を備え、
前記無線リソース割当部は、前記タイマ監視部によって前記タイマが作動している期間内であることが確認されている場合、前記品質データ系列に基づいて前記無線リソースの割り当てを実行する請求項１に記載の無線基地局。
【請求項５】
前記中央集約装置は、前記ユーザ装置が複数の前記張出装置と複数のコンポーネントキャリアを用いたキャリアアグリゲーションを実行する場合、前記中央集約装置に接続されている複数の張出装置に、少なくとも他の張出装置における下りリンクのスケジューリング情報及び上りリンクのスケジューリング情報の何れかを送信するスケジューリング情報送信部を備える請求項１に記載の無線基地局。
【請求項６】
ユーザ装置と無線通信を実行する無線基地局を構成し、中央集約装置と接続される張出装置であって、
前記ユーザ装置が取得した下りリンクにおける無線通信品質を示す下りリンク品質情報を所定の上りリンクチャネルを介して取得する品質情報取得部と、
前記品質情報取得部によって取得された一または複数の前記下りリンク品質情報を含む品質データ系列を前記中央集約装置に送信する品質情報送信部と
を備える張出装置。
【請求項７】
張出装置と中央集約装置とを含み、ユーザ装置と無線通信を実行する無線基地局における通信制御方法であって、
前記張出装置が、前記ユーザ装置が取得した下りリンクにおける無線通信品質を示す下りリンク品質情報を所定の上りリンクチャネルを介して取得するステップと、
前記張出装置が、取得した一または複数の前記下りリンク品質情報を含む品質データ系列を前記中央集約装置に送信するステップと、
前記中央集約装置が、前記品質データ系列に基づいて、前記ユーザ装置に対する無線リソースの割り当てを実行するステップと
を含む通信制御方法。
【発明の詳細な説明】
【技術分野】
【０００１】
本発明は、張出装置と中央集約装置とを含み、ユーザ装置と無線通信を実行する無線基地局、張出装置及び通信制御方法に関する。
【背景技術】
【０００２】
3rd Generation Partnership Project（3GPP）は、Long Term Evolution（LTE）の更なる高速化を目的としてLTE-Advanced（以下、LTE-Advancedを含めてLTEという）を仕様化している。また、3GPPでは、さらに、5G（5th generation mobile communication system）などと呼ばれるLTEの後継システムの仕様が検討されている。【０００３】
LTEでは、MAC層におけるスケジューラ機能（MACスケジューラ）などを有する中央集約装置と、中央集約装置の設置場所から張り出して遠隔に配置する張出装置とを含む、いわゆるC-RAN型の無線基地局が用いられている。張出装置は、PA(Power Amplifier)/LNA(Low Noise Amplifier)、無線送受信モジュール及び変復調モジュールなどの無線部（RF部）を備える。【０００４】
また、中央集約装置と張出装置とは、フロントホールと呼ばれる有線伝送路で接続される。このような中央集約装置と張出装置とのインタフェースとしては、例えば、Common Public Radio Interface（CPRI）が知られている。【０００５】
ところで、上述した5Gの仕様検討に際して、これまで中央集約装置に実装されていた無線物理レイヤ（レイヤ1）の機能を張出装置に実装することが提唱されている（例えば、非特許文献１）。このような実装によれば、フロントホールの所要伝送帯域を削減することができる。
【先行技術文献】
【非特許文献】
【０００６】
【非特許文献１】3GPP RWS-150051(3GPP RAN workshop on 5G), “5G Vision for 2020 and Beyond”、3GPP、2015年9月
【発明の概要】
【０００７】
上述したように、これまで中央集約装置に実装されていた無線物理レイヤの機能を張出装置に実装した場合、次のような問題がある。すなわち、MACスケジューラなどの上位レイヤ（レイヤ2など）の機能は、これまでどおり中央集約装置に実装される。
【０００８】
このため、例えば、ユーザ装置（無線通信端末または移動局ともいう））への適切な無線リソースの割り当てを実現するためには、下りリンクにおける無線通信品質を示す情報である下りリンク品質情報を、張出装置から中央集約装置に適切にフィードバックする必要がある。
【０００９】
具体的には、下りリンク品質情報としては、ユーザ装置が取得した下りリンクにおけるチャネルの受信品質を示すチャネル品質情報（CQI: Channel Quality Indicator）、下り共有物理チャネル（PDSCH: Physical Downlink Shared Channel）に送信レイヤ（ストリーム）ごとに異なる送信アンテナウェイトを乗算して送信するプリコーディングに用いられるプリコーディングウェイトのインデックス（PMI: Precoding Matrix Indicator）、及びMIMO（Multiple Input Multiple Output）の送信レイヤ数（ランク）の最適ランク情報（RI: Rank Indicator）が対象となる。
【００１０】
しかしながら、MACスケジューラなどの上位レイヤの機能が、これまでどおり中央集約装置に実装され、無線物理レイヤの機能が張出装置に分離して実装された場合、無線物理レイヤと、無線物理レイヤの上位レイヤとの連携が困難となる。
【００１１】
そこで、本発明は、このような状況に鑑みてなされたものであり、MACスケジューラなどの上位レイヤの機能と、無線物理レイヤの機能とが分離して実装された場合でも、ユーザ装置に対する適切な無線リソースの割り当てを実現し得る無線基地局、張出装置及び通信制御方法の提供を目的とする。
【００１２】
本発明の一態様は、張出装置と中央集約装置とを含み、ユーザ装置と無線通信を実行する無線基地局であって、前記張出装置は、前記ユーザ装置が取得した下りリンクにおける無線通信品質を示す下りリンク品質情報を所定の上りリンクチャネルを介して取得する品質情報取得部と、前記品質情報取得部によって取得された一または複数の前記下りリンク品質情報を含む品質データ系列を前記中央集約装置に送信する品質情報送信部とを備え、前記中央集約装置は、前記品質データ系列を受信する情報受信部と、前記情報受信部が受信した前記品質データ系列に基づいて、前記ユーザ装置に対する無線リソースの割り当てを実行する無線リソース割当部とを備える。
【００１３】
本発明の一態様は、ユーザ装置と無線通信を実行する無線基地局を構成し、中央集約装置と接続される張出装置であって、前記ユーザ装置が取得した下りリンクにおける無線通信品質を示す下りリンク品質情報を所定の上りリンクチャネルを介して取得する品質情報取得部と、前記品質情報取得部によって取得された一または複数の前記下りリンク品質情報を含む品質データ系列を前記中央集約装置に送信する品質情報送信部とを備える。
【００１４】
本発明の一態様は、張出装置と中央集約装置とを含み、ユーザ装置と無線通信を実行する無線基地局における通信制御方法であって、前記張出装置が、前記ユーザ装置が取得した下りリンクにおける無線通信品質を示す下りリンク品質情報を所定の上りリンクチャネルを介して取得するステップと、前記張出装置が、取得した一または複数の前記下りリンク品質情報を含む品質データ系列を前記中央集約装置に送信するステップと、前記中央集約装置が、前記品質データ系列に基づいて、前記ユーザ装置に対する無線リソースの割り当てを実行するステップとを含む。
【図面の簡単な説明】
【００１５】
【図１】図１は、無線通信システム10の全体概略構成図である。
【図２】図２は、無線通信システム10の全体ブロック構成図である。
【図３】図３は、中央集約装置210の機能ブロック構成図である。
【図４】図４は、張出装置260の機能ブロック構成図である。
【図５】図５は、（ａ）及び（ｂ）は、中央集約装置210、張出装置260及びユーザ装置300によるCQI取得動作の概念図である。
【図６】図６は、PUSCHによるCQIの受信シーケンスを示す図である。
【図７】図７は、品質データ系列のフォーマットの一例を示す図である。
【図８】図８は、（ａ）及び（ｂ）は、品質データ系列QDの具体な構成例を示す図である。
【発明を実施するための形態】
【００１６】
以下、実施形態を図面に基づいて説明する。なお、同一の機能や構成には、同一または類似の符号を付して、その説明を適宜省略する。
【００１７】
（１）無線通信システムの全体概略構成
図１は、本実施形態に係る無線通信システム10の全体概略構成図である。無線通信システム10は、Long Term Evolution（LTE）、及びLTEの後継システムである5Gに従った無線通信システムである。
【００１８】
なお、本実施形態では、5Gと対応させる観点から、LTE（LTE-Advancedを含む）を適宜「4G」と称呼する。また、本実施形態では、5Gが導入された直後における無線通信システムの構成を想定しており、5Gが4Gを補完するLTE assisted operationを実現する。
【００１９】
無線通信システム10は、コアネットワーク20、無線基地局100、無線基地局200及びユーザ装置300を含む。
【００２０】
コアネットワーク20は、Evolved Packet Core（EPC）とも呼ばれ、移動管理エンティティ（MME）、サービングゲートウェイ（S-GW）及びPDNゲートウェイ（P-GW）などによって構成される。
【００２１】
無線基地局100は、4Gに従った無線基地局であり、eNodeBとも呼ばれている。無線基地局100は、S1-MMEまたはS1-Uインタフェースを介してコアネットワーク20を構成する装置（ノード）と接続される。
【００２２】
無線基地局200は、5Gに従った無線基地局である。無線基地局200は、X2インタフェース（ここでは、便宜的に、X2-AP’, X2-U’と呼ぶ）を介して無線基地局100と接続される。
【００２３】
ユーザ装置300は、無線基地局100及び無線基地局200と無線通信を実行することができる。ユーザ装置300は、無線通信端末、或いは移動局と呼ばれてもよい。無線基地局200及びユーザ装置300は、複数のアンテナ素子から送信される無線信号を制御することによって、より指向性の高いビームを生成するMassive MIMO、複数のコンポーネントキャリア（CC）を用いるキャリアアグリゲーション（CA）、及び複数の無線基地局とユーザ装置300との間においてコンポーネントキャリアを同時送信するデュアルコネクティビティ（DC）などに対応することができる。
【００２４】
図２は、無線通信システム10の全体ブロック構成図である。図２に示すように、無線基地局100は、中央集約装置110及び張出装置160によって構成される。同様に、無線基地局200は、中央集約装置210及び張出装置260によって構成される。なお、無線基地局100及び無線基地局200は、中央集約装置及び張出装置以外の他の装置を含んでもよい。
【００２５】
中央集約装置110は、無線物理レイヤ（L1）、ミディアムアクセス制御レイヤ（MAC）、無線リンク制御レイヤ（RLC）、パケット・データ・コンバージェンス・プロトコルレイヤ（PDCP）を有する。また、中央集約装置110は、PDCPの上位レイヤとして、無線リソース制御レイヤ（RRC）を有する。
【００２６】
張出装置160は、中央集約装置110の設置場所から張り出して遠隔に配置することができる。張出装置160は、PA(Power Amplifier)/LNA(Low Noise Amplifier)、無線送受信モジュール及び変復調モジュールなどの無線部（RF）を有する。
【００２７】
中央集約装置110は、デジタル処理部（Digital Unit（DU））とも呼ばれ、張出装置160は、無線処理部（Radio Unit（RU））とも呼ばれる。中央集約装置110と張出装置160とは、フロントホールと呼ばれる有線伝送路で接続される。このような中央集約装置110と張出装置160とのインタフェースとしては、例えば、Common Public Radio Interface（CPRI）が用いられる。
【００２８】
中央集約装置210及び張出装置260は、上述した中央集約装置110及び張出装置160にそれぞれ対応するが、レイヤ構成が異なっている。
【００２９】
具体的には、中央集約装置210は、ミディアムアクセス制御レイヤ（MAC）及び無線リンク制御レイヤ（RLC）を有する。張出装置260は、無線物理レイヤ（L1）及び無線部（RF）を有する。
【００３０】
なお、上述したように、中央集約装置210は、X2-AP’, X2-U’インタフェースを介して中央集約装置110と接続される。
【００３１】
（２）無線通信システムの機能ブロック構成
次に、無線通信システム10の機能ブロック構成について説明する。具体的には、中央集約装置210及び張出装置260の機能ブロック構成について説明する。
【００３２】
（２．１）中央集約装置210
図３は、中央集約装置210の機能ブロック構成図である。図３に示すように、中央集約装置210は、情報送信部211、情報受信部213、無線リソース割当部215、タイマ監視部217、スケジューラ機能部219及びX2 IF部221を備える。
【００３３】
なお、図３に示すように、中央集約装置210の各機能ブロックは、プロセッサ（メモリを含む）、機能モジュール（外部接続IFなど）、及び電源などのハードウェア要素によって実現される。
【００３４】
情報送信部211は、UL Scheduling Grantなどを含むスケジューリング情報などを張出装置260に送信する。
【００３５】
また、情報送信部211は、ユーザ装置300が複数の張出装置260と複数のコンポーネントキャリア（CC）を用いたキャリアアグリゲーション（CA）を実行する場合、中央集約装置210に接続されている複数の張出装置260に、他の張出装置260における下りリンクのスケジューリング情報を送信する。本実施形態において、情報送信部211は、スケジューリング情報送信部を構成する。
【００３６】
具体的には、情報送信部211は、ユーザ装置300が複数のCCを同時に異なる張出装置260に向けて送信するCAを実行する場合、特定の張出装置260における下りリンクにおけるユーザ装置300への無線リソースのスケジューリング情報を、他の張出装置260に送信する。これにより、中央集約装置210に接続される複数の張出装置260間において、下りリンクのスケジューリング情報を共有することができる。
【００３７】
情報受信部213は、張出装置260から送信された情報を受信する。特に、本実施形態では、情報受信部213は、チャネル品質情報、具体的には、CQI（Channel Quality Indicator）などの下りリンク品質情報を含む品質データ系列を受信する。
【００３８】
下りリンク品質情報には、CQI、PMI（Precoding Matrix Indicator）及びRI（Rank Indicator）が含まれる。CQIは、ユーザ装置300が取得した下りリンクにおけるチャネルの受信品質を示すインジケータである。PMIは、下り共有物理チャネル（PDSCH: Physical Downlink Shared Channel）に送信レイヤ（ストリーム）ごとに異なる送信アンテナウェイトを乗算して送信するプリコーディングに用いられるプリコーディングウェイトのインデックスである。RIは、MIMO（Multiple Input Multiple Output）の送信レイヤ数（ランク）の最適ランク情報である。
【００３９】
品質データ系列のフォーマットについては、後述するが、品質データ系列は、ユーザ装置300を識別するユーザ装置識別子及び上述した下りリンク品質情報を含む。
【００４０】
無線リソース割当部215は、情報受信部213が受信した品質データ系列に基づいて、ユーザ装置300に対する無線リソースの割り当てを実行する。具体的には、無線リソース割当部215は、スケジューラ機能部219のスケジューラ処理に従い、当該品質データ系列に含まれる下りリンク品質情報（CQI/PMI/RI）の内容に基づいて、下りリンク（PDSCH）における無線リソースを割り当てる。
【００４１】
より具体的には、無線リソース割当部215は、ユーザ装置300に対して割り当てるリソースブロック（RB）数、トランスポートブロックサイズ（TBS）及び変調方式などを決定する。
【００４２】
また、無線リソース割当部215は、タイマ監視部217によってTAタイマが作動している期間内であることが確認されている場合、当該品質データ系列に基づいてユーザ装置300に対する無線リソースの割り当てを実行する。つまり、無線リソース割当部215は、TAタイマが作動している期間内でない場合、ユーザ装置300に対する無線リソースの割り当てを実行しない。
【００４３】
タイマ監視部217は、ユーザ装置300が下りリンク品質情報（CQI/PMI/RI）を送信する期間を計測するタイマの作動状態を監視する。具体的には、タイマ監視部217は、ユーザ装置300のTime Alignment timer（TAタイマ）の状態を監視する。
【００４４】
ユーザ装置300は、TAタイマが満了するとPUCCH用の無線リソースを解放し、下りリンク品質情報の送信を停止するため、タイマ監視部217は、TAタイマが作動していること、つまり、TAタイマが満了していないことを監視する。
【００４５】
具体的には、ユーザ装置300は、無線基地局200からTiming Advance（TA）コマンドを受信する度にTAタイマをリスタートするため、タイマ監視部217は、TAコマンドが送信されたPDSCHに対するACKをユーザ装置300から受信する度に、ユーザ装置300のTAタイマと同様に、監視時間をリスタートすることによって、TAタイマの状態を監視する。
【００４６】
また、タイマ監視部217は、TAタイマが満了したことを検出した場合、中央集約装置210に接続されている張出装置260に対して、ユーザ装置300のTAタイマが満了したことを通知する。
【００４７】
スケジューラ機能部219は、無線基地局200と接続されている複数のユーザ装置300の状況、及びそれぞれのユーザ装置300からの要求などに応じて、無線リソースのユーザ装置300へのスケジューリング（割り当て）を実行する。
【００４８】
X2 IF部221は、中央集約装置110との通信を実現するためのインタフェースを提供する。具体的には、X2 IF部221は、中央集約装置110と中央集約装置210とをMAC及びRLCを用いて直接接続するインタフェースであり、既存のオープンインタフェースであることが好ましい。ユーザ装置300の送受信データは、X2 IF部221を介して無線基地局100と中継される。
【００４９】
（２．２）張出装置260
図４は、張出装置260の機能ブロック構成図である。図４に示すように、張出装置260は、無線通信部261、通信設定部263、品質情報取得部265、情報送信部267及び情報受信部269を備える。
【００５０】
なお、図４に示すように、張出装置260の各機能ブロックは、デュープレクサ、PA(Power Amplifier)/LNA(Low Noise Amplifier)、無線送受信モジュール（RF変換）、機能モジュール（直交変復調など）、及び電源などのハードウェア要素によって実現される。
【００５１】
無線通信部261は、ユーザ装置300との無線通信を実行する。具体的には、無線通信部261は、5Gの仕様に従ってユーザ装置300との無線通信を実行する。上述したように、無線通信部261は、Massive MIMO、キャリアアグリゲーション（CA）、及びデュアルコネクティビティ（DC）などに対応することができる。
【００５２】
通信設定部263は、ユーザ装置300との無線通信に先立って、ユーザ装置300が送信する上り信号を受信するために必要な情報（例えば、周波数、帯域幅及びセルIDなど）を予め設定する。
【００５３】
品質情報取得部265は、ユーザ装置300が取得した下りリンク品質情報（CQI/PMI/RI）を所定の上りリンクチャネルを介して取得する。具体的には、品質情報取得部265は、ユーザ装置300に対して上り共有物理チャネル（PUSCH（Physical Uplink Shared Channel））が割り当てられている場合、PUSCHを介して下りリンク品質情報を取得する。
【００５４】
品質情報取得部265は、ユーザ装置300に対してPUSCHが割り当てられていない場合、上り制御物理チャネル（PUCCH（Physical Uplink Control Channel））を介して下りリンク品質情報を取得する。
【００５５】
また、品質情報取得部265は、中央集約装置210からユーザ装置300のTAタイマが満了したことが通知された場合、ユーザ装置300からの下りリンク品質情報の取得を中止する。具体的には、品質情報取得部265は、ユーザ装置300からの下りリンク品質情報の受信及び監視を停止する。
【００５６】
情報送信部267は、品質情報取得部265が取得した下りリンク品質情報を中央集約装置210に送信する。
【００５７】
また、情報送信部267は、品質情報取得部265によって取得された一または複数の下りリンク品質情報を含む品質データ系列を中央集約装置210に送信する。本実施形態において、情報送信部267は、品質情報送信部を構成する。
【００５８】
上述したように、情報送信部267は、ユーザ装置300を識別するユーザ装置識別子、及び下りリンク品質情報を含む品質データ系列を送信する。また、情報送信部267は、ユーザ装置300が下りリンク品質情報を送信した上りリンクチャネル、具体的には、PUCCHまたはPUSCHにおける位置を示すチャネル位置を含む品質データ系列を送信することができる。
【００５９】
情報受信部269は、中央集約装置210から送信された情報を受信する。具体的には、情報受信部269は、中央集約装置210から送信されるスケジューリング情報などを受信する。
【００６０】
（３）無線通信システムの動作
次に、無線通信システム10の動作について説明する。具体的には、中央集約装置210及び張出装置260による下りリンク品質情報（CQI/PMI/RI）の取得動作について説明する。なお、以下では、CQIを例として説明するが、PMI及びRIについても同様に取得することができる。
【００６１】
（３．１）概略動作
図５（ａ）及び（ｂ）は、中央集約装置210、張出装置260及びユーザ装置300によるCQI取得動作の概念図である。具体的には、図５（ａ）は、PUSCHによるCQI送受信の概略動作図である。図５（ｂ）は、PUCCHによるCQI送受信の概略動作図である。
【００６２】
図５（ａ）及び（ｂ）に示すように、CQIは、PUSCHまたはPUCCHの何れかの上り方向チャネルによって送信される。
【００６３】
図５（ａ）に示すように、PDCCHが張出装置260からユーザ装置300に送信されることによって、PUSCHが割り当てられている場合、ユーザ装置300は、後述するような所定の場合を除き、PUSCHを介してCQIを張出装置260に送信する。
【００６４】
一方、図５（ｂ）に示すように、PUSCHが割り当てられていない場合、ユーザ装置300は、PUCCHを介してCQIを張出装置260に送信する。
【００６５】
（３．２）PUSCHを介したCQIの受信
次に、PUSCHを介したCQIの受信について説明する。具体的には、PUSCHを介したCQIの受信シーケンス、及びCQI受信に必要な情報について説明する。
【００６６】
（３．２．１）CQIの受信シーケンス
図６は、PUSCHによるCQIの受信シーケンスを示す。図６に示すように、張出装置260は、ユーザ装置300に対する送受信制御の内容を設定する（S10）。具体的には、張出装置260は、中央集約装置210からの制御に基づいて、ユーザ装置300に対する送信受信制御を可能とするための情報を設定する。特に、CQIの受信に関して、張出装置260は、伝送モード（Transmission mode）及びCQIの送信に用いられるPUCCHのリソース割当情報、及びCQIのフィードバックモードなどを設定する。
【００６７】
次いで、中央集約装置210は、ユーザ装置300に対して割り当てる上りリンク（PUSCH）用の無線リソース、具体的には、リソースブロック（RB）数、トランスポートブロックサイズ（TBS）及び変調方式などを決定する（S20）。
【００６８】
中央集約装置210は、張出装置260が送信する下り制御物理チャネル（PDCCH（Physical Downlink Control Channel））に関する情報（その他の付随情報を含む）、及び決定したPUSCHの情報を張出装置260に通知する（S30）。
【００６９】
張出装置260は、中央集約装置210から通知された情報に基づいてPDCCHを設定する（S40）。次いで、張出装置260は、当該設定に基づいて、ユーザ装置300に向けてPDCCHを送信する（S50）。
【００７０】
ユーザ装置300は、受信したPDCCHの内容に基づいてPUSCHを設定し、張出装置260に向けてPUSCHを送信する（S60）。ユーザ装置300は、CQIを含むPUSCHを送信する。なお、このような動作は、複数のユーザ装置300においてそれぞれ実行される。
【００７１】
具体的には、ユーザ装置300は、PUSCHとCQIの送信タイミングとが同時であった場合、CQIをPUSCHに多重して送信する。一方、CQIの送信受信タイミングにおいて、PUSCHが割り当てられていない場合、ユーザ装置300は、予め設定されているPUCCHを介してCQIを送信する。なお、PUCCHによるCQIの送信については後述する。
【００７２】
張出装置260は、一または複数のユーザ装置300からPUSCHを介して受信したCQIを取得する（S70）。張出装置260は、所定時間内に複数のユーザ装置300からCQIを取得した場合、複数のCQIを集約し、当該複数のCQIに関する情報を含む品質データ系列を生成する。
【００７３】
張出装置260は、取得したCQI、具体的には、品質データ系列を中央集約装置210に送信する（S80）。
【００７４】
中央集約装置210は、受信した品質データ系列に基づいて所定の処理を実行する（S90）、具体的には、中央集約装置210は、ユーザ装置300に対する無線リソースの割り当てなどを実行する。
【００７５】
（３．２．２）CQI受信に必要な情報
張出装置260がPUSCHを介してCQIを受信する場合、つまり、ユーザ装置300によるCQIの送信タイミングにおいてPUSCHがユーザ装置300に割り当てられている場合、張出装置260は、当該PUSCHのUL Scheduling GrantをPDCCHを介して送信している。このため、張出装置260は、当該PUSCHの受信、及びPUSCHを介したCQIの受信について認識している。
【００７６】
なお、ユーザ装置300によるPDSCHのACKの送信タイミングとCQIの送信タイミングとが一致する場合、CQIは当該タイミングでは送信されずにドロップされるが、張出装置260は、当該PDSCHの情報についても認識しているため、CQIがドロップされることを検出できる。
【００７７】
また、キャリアアグリゲーション（CA）が実行されている場合、ユーザ装置300と、異なる複数の張出装置260と間において送受信されているコンポーネントキャリア（CC）を用いたPUSCHの送信の有無によって、CQIがPUSCHまたはPUCCHの何れかによって送信されるかが異なる。
【００７８】
そこで、上述したように、中央集約装置210は、中央集約装置210に接続されている複数の張出装置260に、他の張出装置260におけるUL Scheduling Grant（上りリンクのスケジューリング情報）を送信する。なお、中央集約装置210は、中央集約装置210に接続されている複数の張出装置260に、他の張出装置260における下りリンクのスケジューリング情報を送信してもよい。
【００７９】
なお、プライマリーセル（Pcell）ではなくセカンダリーセル（Scell）においてPUSCHが送信される場合、CQIは、当該ScellのPUSCHを介して送信される。ユーザ装置300がScellにおいてPDSCHを受信した場合、当該PDSCHのACKがPUCCHを介して送信されるため、CQIは送信されずにドロップ、つまり未送信となる。
【００８０】
また、CAが実行されている場合、CCを用いたPDSCHの送信の有無によって、CQIがドロップされるか否かが異なるため、中央集約装置210は、中央集約装置210に接続されている複数の張出装置260に、他の張出装置260における下りリンクのスケジューリング情報を送信する。
【００８１】
なお、PUSCHを介してCQIを送信する場合、複数のCCに関するCQIについて、ユーザ装置300に対するAperiodic CQI（非同期のCQI送信）のトリガが可能であるが、このような場合にも、張出装置260は、UL Scheduling Grantによって、当該トリガが可能なことを認識できる。
【００８２】
また、張出装置260は、その他のユーザ装置300のCQI受信に必要な情報として、CQIのビット数、伝送モード（Transmission mode）、多重モード（Duplex mode）、及びCA状態か否かを示す情報を、ユーザ装置300個別の設定情報として保持する。
【００８３】
（３．３）PUCCHを介したCQIの受信
次に、PUCCHを介したCQIの受信について説明する。具体的には、PUCCHを介したCQIの受信シーケンス、及びCQI受信に必要な情報について説明する。
【００８４】
（３．３．１）CQIの受信シーケンス
PUCCHを介したCQIの受信の場合、受信シーケンスは、極めてシンプルである。図５（ｂ）に示したように、ユーザ装置300は、PUCCHを介してCQIを送信するため、張出装置260は、予め設定されているCQIの受信タイミングにおいて、周期的にPUCCHを受信し、CQIの受信を試みる。
【００８５】
張出装置260は、PUSCHを介したCQIの受信と同様に、所定時間内に複数のユーザ装置300からCQIを取得した場合、複数のCQIを集約し、当該複数のCQIに関する情報を含む品質データ系列を生成し、生成した品質データ系列を中央集約装置210に送信する。
【００８６】
（３．３．２）CQI受信に必要な情報
張出装置260がPUCCHを介してCQIを受信する場合、つまり、CQIの送信タイミングにおいてPUSCHが設定されていない（割り当てられていない）場合、張出装置260は、ユーザ装置300個別の無線リソースに関するパラメータを認識する必要がある。
【００８７】
そこで、中央集約装置210は、事前にユーザ装置300個別の無線リソースに関するパラメータ張出装置260に通知する。
【００８８】
（３．４）品質データ系列のフォーマット
次に、品質データ系列のフォーマットについて説明する。図７は、品質データ系列のフォーマットの一例を示す。
【００８９】
図７に示すように、品質データ系列QDは、ヘッダフィールド、CQIヘッダフィールド、及び識別情報とCQI情報とのペアで構成される。
【００９０】
「ヘッダフィールド」は、品質データ系列QDを含む信号の種別を示す領域である。ヘッダフィールドは、当該信号に含まれるデータの種別などに応じて異なる値が設定される。
【００９１】
「CQIヘッダフィールド」は、後続するCQI情報の構成を示し、以下の項目を含むことができる。
【００９２】
・品質データ系列QDとして多重される識別情報の数
・品質データ系列QD（CQI）のビット長
なお、必ずしも両方の項目が含まれていなくても構わない。CQI情報の数は、それぞれのユーザ装置300の状況（例えば、伝送モード、ランク（送信レイヤ）数、キャリアアグリゲーションの有無、及びAperiodic CQIのトリガの有無など）によって異なる。
【００９３】
そこで、ユーザ装置300ごとに、CQI情報のビット数を指定できるようにする。なお、想定される最大のビット数に応じたフィールドを確保し、当該ビット長の情報を省略してもよい。また、ユーザ装置300ごとのCQI情報と対応するサブヘッダを設け、当該サブヘッダにおいて当該ビット長を示すようにしてもよい。
【００９４】
「識別情報」は、後続するCQI情報を取得したユーザ装置300を識別するユーザ装置識別子であり、以下の何れかを用いることができる。
【００９５】
・C-RNTI（Cell-Radio Network Temporary Identity）
（例えば、SPS（Semi-Persistent Scheduling） C-RNTIなど）
・S-TMSI（(SAE-Temporary Mobile Subscriber Identity）またはIMSI International Mobile Subscriber Identity)
・PUCCHリソースインデックス（PUCCHを介したCQI受信の場合）
・UL Scheduling Grant（PDCCH）のCCE（Control Channel Element）インデックス
（PUSCHを介したCQI受信の場合）
・無線基地局200の実装上の識別情報（例えば、無線基地局に接続されたユーザ装置を無線基地局の装置内で識別するために払い出したIDなど）
なお、キャリアアグリゲーションが実行される場合、C-RNTIなどは複数のユーザ装置300において重複して割り当てられる可能性がある。そこで、ユーザ装置300を一意に特定するため、PCI（Physical Cell ID）、ECGI（E-UTRAN Cell Global ID）、キャリア周波数、キャリア番号などを識別情報として追加してもよい。
【００９６】
「CQI情報」（PMI/RIを含む）は、ユーザ装置300から取得したCQIのデータである。品質データ系列QDには、複数のユーザ装置300から取得したCQIを含めることができる。図７に示す例では、CQI情報（1）〜（N）までのN個のユーザ装置300から取得したCQI情報が含まれている。
【００９７】
CQI情報の配列順序は、PUCCHまたはPUSCHを復号した内容（ビット列）をそのまま順番に配置してもよいし、特定の情報の順番を入れ替えても構わない。また、受信したCQI情報を含む信号の信頼度が低かった場合（例えば、SIRなどの指標で判定）、受信不可であったことを示す情報或いは信頼度が低いことを示す情報をCQI情報として追加してもよい。
【００９８】
複数のCQI情報を多重する場合、特定のグループごとにまとめたCQI情報のみを送信し、品質データ系列QDの所要ビット数を削減してもよい。また、誤り訂正符号化の単位である複数コードワードに対するCQIを受信した場合には、当該複数のコードワードにおけるCQIの平均値或いは大きい値のみを送信するようにしてもよい。同様に、複数のサブバンドに対するCQIを受信した場合には、当該複数のサブバンドにおけるCQIの平均値或いは絞り込みをした特定のサブバンドにおけるCQIの値のみを送信するようにしてもよい。
【００９９】
また、張出装置260がPDCCH（UL Scheduling Grant）を送信していた場合、張出装置260は、CQIはがPUSCHに多重されることを期待している。しかしながら、ユーザ装置300が当該PDCCHを受信できなかった場合、ユーザ装置300は、PUCCHを介してCQIを送信する。そこで、PUSCHまたはPUCCHの何れでCQIを受信したかを示す情報、つまり、PUCCHまたはPUSCHにおける位置を示すチャネル位置をCQI情報として追加してもよい。
【０１００】
さらに、品質データ系列QDには、当該CQI情報と対応するPUSCHまたは／及びPUCCHの受信タイミング（例えば、HFN（Hyper Frame Number）、SFN（System Frame Number）、サブフレーム番号など）が含まれてもよい。なお、当該受信タイミングに関する情報は、「ヘッダフィールド」に含まれてもよい。また、複数サブフレームのCQI情報をまとめて通知する場合には、サブフレーム単位で繰り返すようなフォーマットとしてもよい。
【０１０１】
図８（ａ）及び（ｂ）は、品質データ系列QDの具体な構成例を示す。具体的には、図８（ａ）は、２つのユーザ装置300から受信したCQI情報を含む品質データ系列QDの構成例を示す。図８（ｂ）も、２つのユーザ装置300から受信したCQI情報を含む品質データ系列QDの構成例であるが、一方のユーザ装置300においてキャリアアグリゲーション（CA）が実行されている場合である。
【０１０２】
また、図８（ａ）及び図８（ｂ）に示す品質データ系列QDの構成例では、何れもユーザ装置300の識別情報としてC-RNTIが用いられている。具体的には、C-RNTIが#100のユーザ装置（UE）と、C-RNTIが#200のUEによって取得されたCQI/PMI/RIが対象である。
【０１０３】
図８（ａ）に示す品質データ系列QDと対応するUEの状態は以下のとおりである。
【０１０４】
・UE（C-RNTI #100）：非CA状態
-  Pcell（TM4, Rank = 2, periodic CQI, CQI(cw#0)(wideband = 5), CQI(cw#1)(wideband = 4), PMI = 1）
・UE（C-RNTI #200）：  非CA状態
- Pcell（TM3, Rank = 1, periodic CQI, CQI(codeword#0) = 1）
なお、TMは伝送モード、cwはコードワードの略である。
【０１０５】
図８（ｂ）に示す品質データ系列QDと対応するUEの状態は以下のとおりである。
【０１０６】
・UE（C-RNTI #100）：CA状態（2CC）
-  Pcell（TM3, Rank = 1, Aperiodic CQI, CQI(cw#0)(wideband = 5, subband#1 = 6, subband#2 =8, …, subband#M = 7)）
-  Scell（TM4, Rank = 2, Aperiodic CQI, CQI(cw#0)(wideband = 3, subband#1 = 8, subband#2 = 7, …, subband#N = 5), CQI(cw#1)(wideband = 4, subband#1 = 7, subband#2 = 10, …, subband#N = 2), PMI = 3）
・UE（C-RNTI #200）：  非CA状態
-  Pcell（TM3, Rank = 1, periodic CQI(RI), RI = 2）
図８（ａ）及び（ｂ）に示すように、品質データ系列QDは、複数のユーザ装置（UE）が取得した下りリンク品質情報（CQI/PMI/RI）を含むことができる。
【０１０７】
（４）作用・効果
上述した実施形態によれば、以下の作用効果が得られる。具体的には、張出装置260は、品質情報取得部265によって取得した一または複数の下りリンク品質情報を含む品質データ系列を中央集約装置210に送信する情報送信部267を備える。また、中央集約装置210は、情報受信部213が受信した当該品質データ系列に基づいて、ユーザ装置300に対する無線リソースの割り当てを実行する無線リソース割当部215を備える。
【０１０８】
このため、MACスケジューラなどの上位レイヤの機能と、無線物理レイヤの機能とが、中央集約装置210と張出装置260とに分離して実装された場合でも、中央集約装置210は、受信した下りリンク品質情報、具体的には、CQI/PMI/RIに基づいてユーザ装置300に対する適切な無線リソースの割り当てを実現し得る。
【０１０９】
また、本実施形態では、張出装置260（情報送信部267）は、ユーザ装置300を識別するユーザ装置識別子（C-RNTIなど）、及び下りリンク品質情報を含む品質データ系列を送信することができる。このため、複数のユーザ装置300の下りリンク品質情報を一括して中央集約装置210に通知することができ、中央集約装置210は、ユーザ装置識別子によってユーザ装置300を特定することが可能となる。これにより、中央集約装置210と張出装置260との間における効率的な品質データ系列の送受信を実現し得る。
【０１１０】
本実施形態では、張出装置260（情報送信部267）は、ユーザ装置300が下りリンク品質情報を送信した上りリンクチャネル（PUCCHまたはPUSCH）における位置を示すチャネル位置を含む品質データ系列を送信することができる。このため、中央集約装置210は、ユーザ装置300における下り方向のチャネル受信状態を認識でき、ユーザ装置300の状態に応じた適切な無線リソースの割り当てを実現し得る。
【０１１１】
本実施形態では、中央集約装置210（無線リソース割当部215）は、TAタイマが作動している期間内であることが確認されている場合、受信した品質データ系列に基づいてユーザ装置300に対する無線リソースの割り当てを実行する。このため、TAタイマが満了し、ユーザ装置300が下りリンク品質情報を送信していない場合に、品質データ系列に含まれる下りリンク品質情報を復号し、誤った値が取得される可能性を防止
し得る。
【０１１２】
本実施形態では、中央集約装置210は、キャリアアグリゲーションが実行される場合、中央集約装置210に接続されている複数の張出装置260に、他の張出装置260における上りリンクのスケジューリング情報（UL Scheduling Grant）を送信することができる。このため、キャリアアグリゲーションが実行されている場合に、PcellまたはScellにおけるユーザ装置300のCQIを正確かつ迅速に取得することができる。
【０１１３】
（５）その他の実施形態
以上、実施形態に沿って本発明の内容を説明したが、本発明はこれらの記載に限定されるものではなく、種々の変形及び改良が可能であることは、当業者には自明である。
【０１１４】
例えば、上述した実施形態では、中央集約装置210がTAタイマの作動状態を監視していたが、張出装置260がTAタイマの作動状態を監視してもよい。この場合、張出装置260は、それぞれのユーザ装置300と対応付けられているTAタイマの満了を検出すると、該当するユーザ装置300からのCQIの受信を停止する。また、張出装置260は、中央集約装置210に対してTAタイマが満了したことを通知する。なお、キャリアアグリゲーションの実行時におけるTAタイマの監視を考慮すると、中央集約装置210がTAタイマを監視することが、複数の張出装置260に関連するCQIを一元的に管理できるため、より好ましい。
【０１１５】
また、上述した実施形態では、品質データ系列QDの「CQIヘッダフィールド」（図７参照）は、品質データ系列QDとして多重される識別情報の数、及び品質データ系列QD（CQI）のビット長が含まれるとしたが、このような情報は必ずしも必須ではない。つまり、多重される識別情報の数及び当該ビット長の少なくとも何れかは、「CQIヘッダフィールド」に含まれていなくてもよい。さらに、「CQIヘッダフィールド」は、「ヘッダフィールド」と統合されてもよい。
【０１１６】
また、品質データ系列には、C-RNTIなどのユーザ装置識別子が含まれていたが、品質データ系列以外の方法によって、下りリンク品質情報と対応するユーザ装置300のユーザ装置識別子を取得可能な場合には、ユーザ装置識別子が品質データ系列に含まれていなくても構わない。
【０１１７】
さらに、上述した実施形態全体を通じて、3GPPにおいて規定される用語を主に用いて説明したが、当該用語は、他の用語に置き換えられても構わない。例えば、上述した実施形態の中でも言及したように、ユーザ装置は、無線通信端末、移動局、或いはユーザ端末などと呼ばれてもよいし、無線基地局は、ノード或いは無線通信装置またはシステムなどと呼ばれても構わない。
【０１１８】
さらに、 上述した実施形態におけるシーケンス及びフローチャートなどは、矛盾の無い限り、順序を入れ替えてもよい。
【０１１９】
また、本明細書で説明した用語及び／または本明細書の理解に必要な用語については、同一のまたは類似する意味を有する用語と置き換えてもよい。例えば、チャネル及び／またはシンボルは信号（シグナル）であってもよい。また、信号はメッセージであってもよい。また、「システム」及び「ネットワーク」という用語は、互換的に使用されてもよい。
【０１２０】
さらに、上述したパラメータなどは、絶対値で表されてもよいし、所定の値からの相対値で表されてもよいし、対応する別の情報で表されてもよい。例えば、無線リソースはインデックスで指示されるものであってもよい。
【０１２１】
無線基地局（無線基地局100, 200、以下、基地局）は、１つまたは複数（例えば、３つ）のセル（セクタとも呼ばれる）を収容することができる。基地局が複数のセルを収容する場合、基地局のカバレッジエリア全体は複数のより小さいエリアに区分できる。
【０１２２】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、アクセスポイント（access point）、フェムトセル、スモールセルなどの用語で呼ばれる場合もある。
【０１２３】
ユーザ装置300は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２５】
さらに、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１２６】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１２７】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１２８】
なお、本発明は、以下のように表現されてもよい。本発明の一態様は、張出装置（張出装置260）と中央集約装置（中央集約装置210）とを含み、ユーザ装置（ユーザ装置300）と無線通信を実行する無線基地局（無線基地局200）であって、前記張出装置は、前記ユーザ装置が取得した下りリンクにおける無線通信品質を示す下りリンク品質情報（CQI/PMI/RI）を所定の上りリンクチャネル（PUSCHまたはPUCCH）を介して取得する品質情報取得部（品質情報取得部265）と、前記品質情報取得部によって取得された一または複数の前記下りリンク品質情報を含む品質データ系列（品質データ系列QD）を前記中央集約装置に送信する品質情報送信部（情報送信部267）とを備え、前記中央集約装置は、前記品質データ系列を受信する情報受信部（情報受信部213）と、前記情報受信部が受信した前記品質データ系列に基づいて、前記ユーザ装置に対する無線リソースの割り当てを実行する無線リソース割当部（無線リソース割当部215）とを備える。
【０１２９】
本発明の一態様において、前記品質情報送信部は、前記ユーザ装置を識別するユーザ装置識別子（例えば、C-RNTI）、及び前記下りリンク品質情報を含む前記品質データ系列を送信してもよい。
【０１３０】
本発明の一態様において、前記品質情報送信部は、前記ユーザ装置が前記下りリンク品質情報を送信した前記上りリンクチャネルにおける位置を示すチャネル位置を含む前記品質データ系列を送信してもよい。
【０１３１】
本発明の一態様において、前記中央集約装置は、前記ユーザ装置が前記下りリンク品質情報を送信する期間を計測するタイマの作動状態を監視するタイマ監視部（タイマ監視部217）を備え、前記無線リソース割当部は、前記タイマ監視部によって前記タイマが作動している期間内であることが確認されている場合、前記品質データ系列に基づいて前記無線リソースの割り当てを実行してもよい。
【０１３２】
本発明の一態様において、前記中央集約装置は、前記ユーザ装置が複数の前記張出装置と複数のコンポーネントキャリアを用いたキャリアアグリゲーションを実行する場合、前記中央集約装置に接続されている複数の張出装置に、少なくとも他の張出装置における下りリンクのスケジューリング情報及び上りリンクのスケジューリング情報の何れかを送信するスケジューリング情報送信部（情報送信部211）を備えてもよい。
【０１３３】
本発明の一態様は、ユーザ装置と無線通信を実行する無線基地局を構成し、中央集約装置と接続される張出装置であって、前記ユーザ装置が取得した下りリンクにおける無線通信品質を示す下りリンク品質情報を所定の上りリンクチャネルを介して取得する品質情報取得部と、前記品質情報取得部によって取得された一または複数の前記下りリンク品質情報を含む品質データ系列を前記中央集約装置に送信する品質情報送信部とを備える。
【０１３４】
本発明の一態様は、張出装置と中央集約装置とを含み、ユーザ装置と無線通信を実行する無線基地局における通信制御方法であって、前記張出装置が、前記ユーザ装置が取得した下りリンクにおける無線通信品質を示す下りリンク品質情報を所定の上りリンクチャネルを介して取得するステップと、前記張出装置が、取得した一または複数の前記下りリンク品質情報を含む品質データ系列を前記中央集約装置に送信するステップと、前記中央集約装置が、前記品質データ系列に基づいて、前記ユーザ装置に対する無線リソースの割り当てを実行するステップとを含む。
【０１３５】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【０１３６】
なお、日本国特許出願第2016-060191号（2016年3月24日出願）の全内容が、参照により、本願明細書に組み込まれている。
【産業上の利用可能性】
【０１３７】
上述した無線基地局、張出装置及び通信制御方法によれば、MACスケジューラなどの上位レイヤの機能と、無線物理レイヤの機能とが分離して実装された場合でも、ユーザ装置に対する適切な無線リソースの割り当てを実現し得る。
【符号の説明】
【０１３８】
10  無線通信システム
20  コアネットワーク
100  無線基地局
110  中央集約装置
160  張出装置
200  無線基地局
210  中央集約装置
211  情報送信部
213  情報受信部
215  無線リソース割当部
217  タイマ監視部
219  スケジューラ機能部
260  張出装置
261  無線通信部
263  通信設定部
265  品質情報取得部
267  情報送信部
269  情報受信部
300  ユーザ装置
QD  品質データ系列
【図１】
2017163785.tif 000003
【図２】
2017163785.tif 000004
【図３】
2017163785.tif 000005
【図４】
2017163785.tif 000006
【図５】
2017163785.tif 000007
【図６】
2017163785.tif 000008
【図７】
2017163785.tif 000009
【図８】
2017163785.tif 000010
【国際調査報告】
2017163785.tif 000011
2017163785.tif 000012